(57)【要約】  【課題】ゴルフプレイ用ナビゲーション携帯端末のケーシング構造を提供する。  【解決手段】表側のディスプレイ画面用開口を備えた表ケースと、裏側の蓄電池収納部などを備えた裏ケースとが結合されて成る。表ケースと裏ケースのいずれか一方に、もしくは双方に跨って、電源スイッチ、決定スイッチ、選択スイッチ等のスイッチング素子、並びに外部電源と接続され、且つ外部のパソコン及びサーバー等と接続され交信するための電源・通信用コネクタと対峙する位置に通孔を有する。表ケースと裏ケースの周側面の合わせ目がグリップゴムカバーで覆われており、スイッチング素子と相対峙する位置に各々のスイッチング素子を押す可変形構造のスイッチタッチ部が設けられている。電源・通信用コネクタと相対峙する位置には通信ポートが設けられ、必要に応じて抜き出され通信ポートを開放するコネクタカバーが設置されている。【選択図】図１
2006084438.tif 000002
【特許請求の範囲】
【請求項１】
ディスプレイ画面にゴルフ場における各ホール毎の地図情報及び同地図上にＧＰＳ機能によるプレーヤーの現在位置を表示し各ホールのゴルフプレイに必要なグリーンまでの距離、バンカーやＯＢの位置、その他のホール情報を表示してゴルフプレイの円滑な進行に供する、ゴルフプレイ用ナビゲーション携帯端末において、
当該ゴルフプレイ用ナビゲーション携帯端末のケーシングは、表側のディスプレイ画面用開口を備えた表ケースと、裏側の蓄電池収納部などを備えた裏ケースとが周側面の幅寸を二分した構造でそれぞれ合成樹脂により射出成形されて成り、表ケースと裏ケースとは周側面の全周にわたるインロー型式の嵌め合わせ継手を備え、前記嵌め合わせ継手の突き当たり部に周側面の全周にわたる輪状のゴムパッキンを挟んで結合されていること、
前記表ケースと裏ケースのいずれか一方に、もしくは双方に跨って、当該ケーシング内に収納、実装されたプリント基板の外周部位に用意された電源スイッチ、選択スイッチ、決定スイッチ等のスイッチング素子、並びに外部電源と接続され、且つ外部のパソコン及びサーバー等と接続され交信するための電源・通信用コネクタと対峙する位置にそれぞれ通孔を有し、前記スイッチング素子と対峙する通孔はスイッチング操作に必要な変形性能を備えたシールキャップで塞がれていること、
表ケースと裏ケースの周側面の外面であって前記インロー継手で結合された周側面の合わせ目が全周にわたり環状をなす滑り難いグリップゴムカバーで覆われており、該グリップゴムカバーには前記電源スイッチ、選択スイッチ、決定スイッチ等のスイッチング素子と相対峙する位置に各々のスイッチング素子を前記シールキャップを介して押すピストンを備えた可変形構造のスイッチタッチ部が設けられており、また、前記電源・通信用コネクタと相対峙する位置には相当大きさの通信ポートが設けられ、この通信ポートに密接に嵌まって通信ポートを水密的に密閉し、必要に応じて抜き出され通信ポートを開放するコネクタカバーが設置されていることをそれぞれ特徴とする、ゴルフプレイ用ナビゲーション携帯端末。
【請求項２】
表ケースのディスプレイ画面用開口には、透明板が、薄いシート状のパッキンを利用した水密構造で固定されていること特徴とする、請求項１に記載したゴルフプレイ用ナビゲーション携帯端末。
【請求項３】
コネクタ用の通信ポートを開閉するコネクタカバーは、帯状で可撓性のバンド部が裏ケースの背面下部へ締結手段にて固定されており、通信ポートを塞ぐ栓部分の周側面には全周にわたり小さなリブ形状のシールリング部が形成されており、前記栓部分より外側の蓋部分には開栓操作用の取っ手が形成されていること特徴とする、請求項１に記載したゴルフプレイ用ナビゲーション携帯端末。
【発明の詳細な説明】
【技術分野】
【０００１】
この発明は、キャディ無しでゴルフプレイを楽しむ目的で使用される小型のハンディタイプで携帯式、且つ所謂ＧＰＳ（全地球測位システム）機能を備えたキャディ代用のゴルフプレイ用ナビゲーション携帯端末の技術分野に属し、更に言えば、同ゴルフプレイ用ナビゲーション携帯端末のケーシング構造に関する。
【背景技術】
【０００２】
従来、小型のハンディタイプで携帯式、且つＧＰＳ機能を備えたゴルフプレイ用ナビゲーション携帯端末は既に種々公知であり、実用化され、市販もされている。
例えば下記の特許文献１に記載された案内装置、或いは特許文献２に記載された位置表示装置などが該当する。
【０００３】
【特許文献１】特開平７−１３４０４２号公報
【特許文献２】特開平８−１８９９５８号公報
【発明の開示】
【発明が解決しようとする課題】
【０００４】
上記したように、小型のハンディタイプで携帯式、且つＧＰＳ機能を備えたゴルフプレイ用ナビゲーション携帯端末は、既に種々公知であり、実用にも供されている。このゴルフプレイ用ナビゲーション携帯端末に要求される機能、性質は、先ず第１に、情報が正確で分かりやすく、小型・軽量で携帯に至便であり、しかも使い易く、使い勝手の良いことである。特にプレーヤーはゴルフプレイに夢中で、ゴルフプレイ用ナビゲーション携帯端末の管理や保護はおざなりに成り勝ちであり、乱暴に扱われることが多い。例えば携行中や使用中に落としたり、投げたり、雨が降ってもお構いなしに雨に濡らしながら使用することもしばしば極普通に行われる。
【０００５】
その故に、ゴルフプレイ用ナビゲーション携帯端末の中身（実装機器構造）が耐衝撃構造、防水・防塵構造であることは勿論のこと、ゴルフプレイ用ナビゲーション携帯端末のケーシング構造も同様に中身の保護に必要、十分な強度と剛性を備え、また、耐衝撃構造と防水及び防塵構造であり、しかも製造工程が容易で、安価であること等々が要望される。
【０００６】
したがって、本発明の目的は、ゴルフプレイ用ナビゲーション携帯端末の中身の保護に必要十分な強度および剛性を有し、耐衝撃性能と、防水性能および防塵性能を備えた構造であり、しかも製造工程が容易で安価なケーシング構造を提供することである。
【課題を解決するための手段】
【０００７】
上記従来技術の課題を解決するための手段として、請求項１に記載した発明に係るゴルフプレイ用ナビゲーション携帯端末は、
ディスプレイ画面１にゴルフ場における各ホール毎の地図情報及び同地図上にＧＰＳ機能によるプレーヤーの現在位置を表示し各ホールのゴルフプレイに必要なグリーンまでの距離、バンカーやＯＢの位置、その他のホール情報を表示してゴルフプレイの円滑な進行に供するゴルフプレイ用ナビゲーション携帯端末において、
当該ゴルフプレイ用ナビゲーション携帯端末のケーシングは、表側のディスプレイ画面用開口１０を備えた表ケース１１と、裏側の蓄電池収納部１３などを備えた裏ケース１２とが周側面の幅寸を二分した構造でそれぞれ合成樹脂により射出成形されて成り、表ケース１１と裏ケース１２とは周側面の全周にわたるインロー型式の嵌め合わせ継手を備え、前記嵌め合わせ継手の突き当たり部に周側面の全周にわたる輪状のゴムパッキン１４を挟んで結合されていること、
前記表ケース１１と裏ケース１２のいずれか一方に、もしくは双方に跨って、当該ケーシング内に収納、実装されたプリント基板１５の外周部位に用意された電源スイッチ２、決定スイッチ４、選択スイッチ５等のスイッチング素子、並びに外部電源と接続され、且つ外部のパソコン及びサーバー等と接続され交信するための電源・通信用コネクタ６と対峙する位置にそれぞれ通孔２Ｂ〜５Ｂ及び７Ａを有し、前記スイッチング素子と対峙する通孔２Ｂ〜５Ｂはスイッチング操作に必要な変形性能を備えたシールキャップ１６で塞がれていること、
表ケース１１と裏ケース１２の周側面の外面であって前記インロー継手で結合された周側面の合わせ目が全周にわたり環状をなす滑り難いグリップゴムカバー１７で覆われており、該グリップゴムカバー１７には前記電源スイッチ２、選択スイッチ５、決定スイッチ４等のスイッチング素子と相対峙する位置に各々のスイッチング素子を前記シールキャップ１６を介して押すピストン１８を備えた可変形構造のスイッチタッチ部２Ａ〜５Ａが設けられており、また、前記電源・通信用コネクタ６と相対峙する位置には相当大きさの通信ポート７が設けられ、この通信ポート７に密接に嵌まって通信ポート７を水密的に密閉し、必要に応じて抜き出され通信ポート７を開放するコネクタカバー８が設置されていることをそれぞれ特徴とする。
【０００８】
請求項２に記載した発明は、請求項１に記載したゴルフプレイ用ナビゲーション携帯端末において、
表ケース１１のディスプレイ画面用開口１０には、透明板９が、薄いシート状のパッキンを利用した水密構造で固定されていること特徴とする。
【０００９】
請求項３に記載した発明は、請求項１に記載したゴルフプレイ用ナビゲーション携帯端末において、
コネクタ用の通信ポート７を開閉するコネクタカバー８は、帯状で可撓性のバンド部８ａが裏ケース１２の背面下部へ締結手段にて固定されており、通信ポート７を塞ぐ栓部分８ｂの周側面には全周にわたり小さなリブ形状のシールリング部８ｃが形成されており、前記栓部分８ｂより外側の蓋部分８ｄには開栓操作用の取っ手８ｅが形成されていること特徴とする。
【発明の効果】
【００１０】
本願発明によれば、二つ割り構造の表ケース１１と裏ケース１２が合成樹脂の射出成型法により製造され安価に量産化することに適するし、樹脂材質の選択により耐衝撃性と耐水性及び防水、防塵性能を満たすことが容易である。
表ケース１１と裏ケース１２はインロー型式の嵌め合わせ継手で結合されるので、組み立てが容易で頑丈である上に、同前の継手の突き当たり部に輪状のゴムパッキン１４を挟む上に、継手の合わせ目の全周を相当幅の環状をなすグリップゴムカバー１７で水密的に覆うので、簡易にして完全な雨水に対する防水性及び防塵性が得られる。
また、外部から操作する電源スイッチ等にそれぞれ対峙するケースの通孔２Ｂ〜５Ｂはシールキャップ１６で塞ぐ上に、前記グリップゴムカバー１７に成形した、スイッチング素子を押すピストン１８を備えた可変形構造のスイッチタッチ部２Ａ〜５Ａを設けているので、雨水に濡れながらスイッチング操作をしても内部（中身）を保護する防水性能と防塵性能は完全であり、使用上に支障は一切無い。
【００１１】
同様に、電源・通信用コネクタ６と相対峙する通信ポート７は、コネクタカバー８で開閉自在に構成していると共に、このコネクタカバー８は紛失しないようにバンド部８ａを裏ケース１１へネジ止めし、栓部分８ｂには周側面の全周にリブ形状のシールリング８ｃを形成しているので、防水性と防塵性に心配はない。
前記環状をなすグリップゴムカバー１７は滑り難い材質でケーシングの周側面の全周を覆うのみならず、手に持った場合の掴まえ具合が良く、滑らないので、不用意に落とす心配が少なく、使い易いのである。
【発明を実施するための最良の形態】
【００１２】
ケーシングを構成する表側のディスプレイ画面用開口１０を備えた表ケース１１と、裏側の蓄電池収納部な１３どを備えた裏ケース１２とは周側面の幅寸を二分した構造で合成樹脂により射出成形する。表ケース１１と裏ケース１２とは周側面の全周にわたるインロー型式の嵌め合わせ継手を備え、前記嵌め合わせ継手の突き当たり部に周側面の全周にわたり輪状のゴムパッキン１４を挟んで結合する。
前記表ケース１１と裏ケース１２のいずれか一方に、もしくは双方に跨って、当該ケーシング内に収納、実装されたプリント基板１５の外周部位に用意された電源スイッチ２、選択スイッチ５、決定スイッチ４等のスイッチング素子、並びに外部電源と接続され、且つ外部のパソコン及びサーバー等と接続され交信するための電源・通信用コネクタ６と対峙する位置にそれぞれ通孔２Ｂ〜５Ｂ及び７Ａを設ける。前記スイッチング素子と対峙する通孔２Ｂ〜５Ｂはスイッチング操作に必要な変形性能を備えたシールキャップ１６で塞ぐ。
表ケース１１と裏ケース１２の周側面の外面であって前記インロー継手で結合された周側面の合わせ目を、その全周にわたり環状をなす滑り難いグリップゴムカバー１７で覆う。該グリップゴムカバー１７には前記電源スイッチ２、選択スイッチ５、決定スイッチ４等のスイッチング素子と相対峙する位置に各々のスイッチング素子を前記シールキャップ１６を介して押すピストン１８を備えた可変形構造のスイッチタッチ部２Ａ〜５Ａを設ける。また、前記電源・通信用コネクタ６と相対峙する位置には相当大きさの通信ポート７が設けるが、この通信ポート７に密接に嵌まって通信ポート７を水密的に密閉し、必要に応じて抜き出され通信ポート７を開放するコネクタカバー８を設置して塞ぐ。
【実施例１】
【００１３】
以下に、図示した本発明の実施形態を説明する。
図１は、本発明に係るゴルフプレイ用ナビゲーション携帯端末（以下、単に携帯端末という場合がある。）の全景を示している。即ち、ディスプレイ画面１に個々の特定ゴルフ場における各ホール毎の地図情報及び同地図上にＧＰＳ機能によるプレーヤーの現在位置をポインター等で表示し、且つ各ホールのゴルフプレイに必要なグリーンまでの距離、バンカーやＯＢの位置、その他のホール情報を表示してゴルフプレイの円滑な進行に供する構成であることは既に公知であり、当業者の技術水準と言える技術事項と考えて、ここでは更なる詳細説明は省く。
なお、図１と図５を照らし合わせて見ると明らかなように、電源スイッチ２及び再スタートスイッチ３のスイッチタッチ部２Ａ、３Ａは携帯端末の頭部周面に位置し、決定スイッチ４及び選択スイッチ５のスイッチタッチ部４Ａ、５Ａはそれぞれ携帯端末の頭部両側面の対称的位置に配置されている。また、外部電源と接続され、且つ外部のパソコン及びサーバー等と接続されて交信するための電源・通信用コネクタ６に相対峙する通信ポート７は、携帯端末の底部周面の中央部に開口されており、この通信ポート７を開閉するコネクタカバー８が付設されている。
【００１４】
当該ゴルフプレイ用ナビゲーション携帯端末のケーシングは、図２に示す表側のディスプレイ画面用開口１０を備えた表ケース１１と、裏側の蓄電池収納部１３などを備えた裏ケース１２とで構成されている。裏ケース１２の蓄電池収納部１３には、具体的に図示することは省略したが、シート状のクッションシート２０を敷いた上に蓄電池を実装し、これを覆う蓋板（図示せず）が、蓄電池収納部１３を区画する周枠に沿って設けられたネジ止め筒２３…へビスでネジ止めして固定される。表ケース１１の前記開口１０には、その外側へ例えばアクリル板の如き透明板９が、薄いシート状のパッキン（図示せず）を付設して水密構造で固定されている（請求項２記載の発明）。前記透明板９の内側面へ接するように、図示を省略した液晶画面ユニット（ＬＣＤユニット）が、後述のプリント基板１５と合一に実装される。
前記表ケース１１と裏ケース１２は、携帯端末ケーシング周側面の幅寸を図示例の場合はほぼ中央位置に合わせ目が出来るように二等分割した構造とし、それぞれ日射に強い性質のＡＢＳ樹脂と強度が大きいポリカーボネートとを混ぜ合わせた合成樹脂により射出成形されている。これら表ケース１１と裏ケース１２は、図２と図３に示したように、周側面の全周にわたるインロー型式の嵌め合わせ継手を備え、前記嵌め合わせ継手を相互に嵌め合わせた際の突き当たり部（図７を参照）に、周側面の全周にわたる輪状のゴムパッキン１４を挟んで水密的に結合される。前記嵌め合わせ継手を相互に嵌め合わされた表ケース１１と裏ケース１２は、各々の内面の整合する位置に予め垂直に用意されたネジ止め筒部２１と２２（図２、図３参照）へ、例えば裏ケース１２の裏側からネジ止め筒部２２へ貫通させた長ビスを、表ケース１１のネジ止め筒２１へ通しその中空部にインサートされたナットへねじ込み強く締結して結合が完成される。
【００１５】
図示した実施例の場合は、図２に示すように、表ケース１１の周側壁に、当該ケーシング内に収納、実装されたプリント基板１５（図５を参照）の外周部位に用意された電源スイッチ２、再スタートスイッチ３、決定スイッチ４、選択スイッチ５の各スイッチング素子、並びに外部電源と接続され、且つ外部のサーバー等と接続され交信するための電源・通信用コネクタ６と相対峙する位置に、それぞれ通孔２Ｂ、３Ｂ、４Ｂ、５Ｂ並びに７が設けられている。前記の各スイッチング素子２〜５と対峙する通孔２Ｂ〜５Ｂには、スイッチング操作に必要な変形性能を備えたシールキャップ１６を外側から嵌め込んで塞がれ、防水と防塵の処理が行われている。シールキャップ１６は、鍔の部分から胴の部分までの剛性が高く、底壁は薄く変形性能が大きい構成とされている。もっとも、前記の各通孔２Ｂ〜５Ｂを設ける場所は、表ケース１１に限らない。場合によっては裏ケース１２に、もしくは双方のケースに跨って必要な箇所に設けて良い。なお、プリント基板１５の実装は、詳細な図示を省略したが、裏ケース１２と表ケース１１それぞれに予め用意されたネジ止め筒２１、２２を、上記したように長ビスで締結するに先立って、プリント基板１５の各ネジ止め孔の位置を前記ネジ止め筒２１、２２の位置へ一致させ、前記長ビスによるケースのネジ止めと合一に固定し実装される。
【００１６】
次に、上記表ケース１１と裏ケース１２の周側面の外面であって前記インロー継手で結合された周側面の合わせ目は、その全周にわたり環状をなす（図８参照）滑り難いグリップゴムカバー１７で水密的に覆われて、やはり防水、防塵構造を構成している。因みに、滑り難いグリップゴムカバー１７の材質は、硬度６０°のシリコンゴムで成形されている。
更に説明すると、該グリップゴムカバー１７には、上記した電源スイッチ２、再スタートスイッチ３、決定スイッチ４、選択スイッチ５の各スイッチング素子と相対峙する位置に、各々のスイッチング素子を表ケース１１の上記シールキャップ１６の可変形性の底壁を介して押すピストン１８を備えた可変形構造のスイッチタッチ部２Ａ〜５Ａがそれぞれ薄肉構造に設けられている（図５参照）。つまり、雨中でのゴルフプレイに使用されても、スイッチング部は完全な防水・防塵構造になっており、雨水が浸入する不都合は皆無である。また、前記電源・通信用コネクタ６と相対峙する位置には、表ケース１１の通孔７Ａ（図５）の外側に、グリップゴムカバー１７に形成した相当大きさの通信ポート７が設けられており、この通信ポート７へ密接に嵌まって通信ポート７および前記通孔７Ａを水密的に密閉し、あるいは必要に応じて抜き出され通信ポート７及び通孔７Ａを開放するコネクタカバー８が設置されている。
【００１７】
上記コネクタ用の通信ポート７を開閉するコネクタカバー８は、帯状で可撓性のバンド部８ａが裏ケース１２の背面下部へ小ネジ２５により止められて紛失の防止が図られている。また、通信ポート７を塞ぐ栓部分８ｂの周側面には、その全周にわたり小さなリブ形状のシールリング部８ｃが形成されている。かくして、コネクタカバー８は、コネクタ用の通信ポート７を水密的に密閉する防水・防塵構造を構成しており、たとえ雨中でのゴルフプレイに乱暴に使用されても支障無い構成とされている。前記栓部分８ｂより外側の鍔状に若干せり出した蓋部分８ｄには、開栓操作用の取っ手８ｅが形成されており、開閉操作の便利に供している。
因みに、このゴルフプレイ用ナビゲーション携帯端末は、プレイヤーがクラブハウスへ到着し、署名して貸し出しを要望した場合に、スタート地点に電源・通信コネクタ６を親機（クレイドル）のＵＳＢ端末と接続した装填状態で、所定のゴルフ地図情報及びこれとリンクしたホール情報をダウンロード（又はインポート）して用意され貸し出される。従って、前記装填の状態では、コネクタカバー８は、コネクタ用の通信ポート７から引き外されているので、使用者は先ずコネクタカバー８を通信ポート７へ嵌めて密閉したことを確認してコースへ出てゆくことになる。逆に、ゴルフプレイを終了してクラブハウス又は前記のスタート地点へ戻ってきたときには、再びコネクタカバー８を通信ポート７から引き抜いて開口させ、その状態でＵＳＢ端末と接続可能に装填することになる。
【００１８】
本発明のゴルフプレイ用ナビゲーション携帯端末は、上記のとおりハンディタイプで携帯式であることを考慮して、上記グリップゴムカバー１７は滑り難い材質で成形されているが、更になお、表側面のほぼ中央の周方向に、断面が小高い半円形状をなす滑り止めリブ３０を十分に長く形成しており、当該携帯端末を掴んだプレイヤーの手が不用意に滑って地面へ落とす事態を可及的に防ぐ構成とされている。
【００１９】
以上に図示した実施例に基づいて本発明を説明したが、勿論、本発明は上記実施例の構成に限定されるものではない。本発明の要旨及び技術的思想を逸脱しない限度に、当業者が必要に応じて行う設計変更や改変、応用の範囲で、更に異なる種々な実施例が存在するのであり、本発明はそうした実施例も包含することを念のために申し添える。
【図面の簡単な説明】
【００２０】
【図１】本発明に係るゴルフプレイ用ナビゲーション携帯端末の全景を示した斜視図である。
【図２】表ケースの斜視図である。
【図３】裏ケースの斜視図である。
【図４】裏ケースの平面図である。
【図５】図６のＶ−Ｖ線矢視図である。
【図６】ゴルフプレイ用ナビゲーション携帯端末の側面図である。
【図７】ゴルフプレイ用ナビゲーション携帯端末の中身を省略した垂直断面図である。
【図８】グリップゴムカバーの正面図である。
【図９】グリップゴムカバーの一部を省略した斜視図である。
【符号の説明】
【００２１】
都合により省略
【図１】
2006084438.tif 000003
【図２】
2006084438.tif 000004
【図３】
2006084438.tif 000005
【図４】
2006084438.tif 000006
【図５】
2006084438.tif 000007
【図６】
2006084438.tif 000008
【図７】
2006084438.tif 000009
【図８】
2006084438.tif 000010
【図９】
2006084438.tif 000011